(57)【特許請求の範囲】
【請求項１】
踏み板に嵌合凹部が設けられ、桁に嵌合凸部を持つ踏み板挿入部が設けられており、踏み板を桁の踏み板挿入部に挿入させるとともに嵌合凹部と嵌合凸部を嵌合させて、踏み板を桁に取り付ける階段の踏み板の固定構造であって、
踏み板の嵌合凹部は、嵌合凸部よりも幅広に形成されて、その左右内壁間に渡した水平板部を有しており、
桁の嵌合凸部は、前面から奥に向かう嵌合凸部全幅の水平溝部を有しており、
桁に設けられた踏み板挿入部への踏み板の挿入時に、嵌合凹部の水平板部が嵌合凸部の水平溝部にその前面から挿入されて嵌まった状態となることを特徴とする階段の踏み板の固定構造。
【請求項２】
水平溝部の上下内壁間に、前面から奥に向かう接着剤溜まりとしての穿孔が設けられていることを特徴とする請求項１記載の階段の踏み板の固定構造。
【発明の詳細な説明】
【技術分野】
【０００１】
本願発明は、階段における踏み板を側桁に嵌合して取り付ける階段の踏み板の固定構造に関するものである。
【背景技術】
【０００２】
従来、たとえば図９に例示したように、オープン階段と呼ばれる、片側または両側に壁４を設けずに施工して、開放的な空間を演出する階段が知られている（たとえば下記特許文献１も参照）。
【０００３】
図９のオープン階段は、片側にのみ壁４を設けており、壁４に固定される側板３とこれに対向して反対側に設けられる側桁２との間に踏み板１を渡した形態となっている。また、踏み板１間に蹴込板を設けないことで、より開放的な空間演出を図っている。
【０００４】
このオープン階段の施工では、たとえば図１０に例示したように、踏み板１に矩形状の嵌合凹部１１を設け、側桁２には嵌合凹部１１と対応する矩形状の嵌合凸部２２を持つ踏み板挿入部２１を設けておき、踏み板１を側桁２の踏み板挿入部２１に挿入させるとともに嵌合凹部１１と嵌合凸部２２を嵌合させることで、踏み板１を側桁２に取り付けることがしばしば行われている。
【０００５】
このとき、嵌合凹部１１と嵌合凸部２２が嵌合しやすいように、幅方向のクリアランスを設けるべく、嵌合凹部１１の幅寸法Ｗ１を嵌合凸部２２の幅寸法Ｗ２より大きくしている。
【０００６】
なお、階段には、踏み板１の略中央に側桁２と同様な構成を有する桁が設けられるものもある。
【特許文献１】特開平６−３２２９１７号公報
【発明の開示】
【発明が解決しようとする課題】
【０００７】
しかしながら、踏み板１の嵌合凹部１１を側桁２などの桁の嵌合凸部２２よりも幅広の形状とすることで、踏み板１を踏んだ際の荷重により、踏み板１にたわみ等が発生して、キシミ音が鳴る場合がある。
【０００８】
本願発明は、以上のとおりの事情に鑑み、踏み板１のたわみ等によるキシミ音の発生を効果的に抑制することのできる、階段の踏み板の固定構造を提供することを課題としている。
【課題を解決するための手段】
【０００９】
本願発明の階段の踏み板の固定構造は、上記の課題を解決するものとして、第１には、踏み板に嵌合凹部が設けられ、桁に嵌合凸部を持つ踏み板挿入部が設けられており、踏み板を桁の踏み板挿入部に挿入させるとともに嵌合凹部と嵌合凸部を嵌合させて、踏み板を桁に取り付ける階段の踏み板の固定構造であって、踏み板の嵌合凹部は、嵌合凸部よりも幅広に形成されて、その左右内壁間に渡した水平板部を有しており、桁の嵌合凸部は、前面から奥に向かう嵌合凸部全幅の水平溝部を有しており、桁に設けられた踏み板挿入部への踏み板の挿入時に、嵌合凹部の水平板部が嵌合凸部の水平溝部にその前面から挿入されて嵌まった状態となることを特徴とする。
【００１０】
第２には、水平溝部の上下内壁間に、前面から奥に向かう接着剤溜まりとしての穿孔が設けられていることを特徴とする。
【発明の効果】
【００１１】
上記第１の発明によれば、上記のとおりに踏み板の嵌合凹部に設けられた水平板部および桁の嵌合凸部に設けられた水平溝部の存在により、踏み板を桁の踏み板挿入部に挿入させた際の嵌合凹部と嵌合凸部の嵌合状態において、水平板部と水平溝部の接着面積分、踏み板と桁の互いの接着面積を増大させることができ、よって、嵌合凹部が嵌合凸部より幅広に形成されていても、互いの嵌合強度が向上し、踏み鳴りを低減することができる。
【００１２】
また、嵌合凹部と嵌合凸部の幅寸法の差分だけ、水平溝部内での水平板部のスライドとともに踏み板を幅方向スライドすることもでき、これにより、桁と側板が先に固定されていても、踏み板を桁に嵌合させ、さらに幅方向つまり左右水平方向にスライドさせて側板に嵌合させることができ、よって、踏み板、桁、側板のいずれも傷つけることなく、踏み板を容易に後施工できる。
【００１３】
上記第２の発明によれば、上記第１の発明と同様な効果が得られるとともに、上記のとおりの穿孔が接着剤溜まりとして機能することで、水平溝部内での水平板部の表面に接着剤がより確実に行き渡るようになる。これにより、接着剤のはみ出しを防いで、接着不良の可能性を低減でき、よって、互いの嵌合強度のバラツキを低減し、踏み鳴りをより一層効果的に低減することができる。
【発明を実施するための最良の形態】
【００１４】
［第１の実施形態］
図１〜図５は、本願発明の一実施形態を示したものである。
【００１５】
本実施形態において、まず、踏み板１は、壁４に固定される側板３（図５および前記図９を参照）とこれに対向して設けられる側桁２との間に渡して取り付けられる形態となっており、側桁２に取り付けられる部位には、矩形状に形成された嵌合凹部１１を備えている。本願発明における桁は、側桁２に限定されず、踏み板１の略中央に配設されるものも含む。踏み板１の略中央に配設される桁にも側桁２と同様な構造を採用することができる。
【００１６】
嵌合凹部１１には、左右内壁間に渡した水平板部１２が設けられている。水平板部１２は、嵌合凹部１１の全幅及び全長に渡って形成されており、厚さ方向の略中央に位置している。
【００１７】
他方、側桁２は、上階と下階の間に渡して取り付けられて、各段の踏み板１を支持する形態となっており、踏み板１が取り付けられる部位には、踏み板１を水平方向に挿入可能な厚さの開口形状に形成された踏み板挿入部２１を備えている。この踏み板挿入部２１内には、踏み板１の嵌合凹部１１に対応する矩形状に形成された、踏み板挿入部２１の奥内壁から前方に向かって突出する嵌合凸部２２が設けられている。
【００１８】
さらに、この嵌合凸部２２には、前面から奥に向かう水平溝部２３が設けられている。水平溝部２３は、嵌合凸部２２の全幅に渡って形成されている。
【００１９】
以上のとおりの踏み板１を側桁２の踏み板挿入部２１に挿入させると（図２参照）、嵌合凹部１１の水平板部１２が嵌合凸部２２の水平溝部２３にその前面から挿入されて嵌まった状態となる（図３参照）。
【００２０】
これにより、嵌合凹部１１と嵌合凸部２２の嵌合状態において、水平板部１２と水平溝部２３の接着面積分、踏み板１と側桁２の互いの接着面積を増大させることができ、よって、嵌合凹部１１が嵌合凸部２２より幅広に形成されていても、互いの嵌合強度が向上して、踏み板１を踏んだ際の荷重による踏み鳴りの発生を低減することができる。
【００２１】
また、嵌合凹部１１の幅寸法Ｗ１は嵌合凸部２２の幅寸法Ｗ２よりも大きくなっているので、その差分だけ、水平溝部２３内での水平板部１２のスライドとともに踏み板１を幅方向スライドさせることができる。
【００２２】
これにより、図５（ａ）（ｂ）に例示したように、先に側桁２を上階と下階の間に渡して固定し、且つ側板３を壁４に固定していても、踏み板１を側桁２に取り付けた後にそのまま左右水平方向にスライド移動させて、その左右位置を微調整するだけで、側板３の嵌合凹部３１にも嵌合取付できるようになる。したがって、踏み板１、側桁２、側板３のいずれも傷つけることなく、踏み板１を後から容易に施工できるようになり、従来よりも自由度の高い施工手順が実現される。
【００２３】
なお、踏み板１の取付後はスライド動作が不要であるため、水平板部１２を水平溝部２３内にて接着剤（図示なし）で固定しておくことが好ましい。
【００２４】
この場合は、踏み板１を側桁２の踏み板挿入部２１へ挿入させる前に、事前に水平溝部２３または水平板部１２に接着剤を塗布しておき、接着剤が硬化する前に上記スライド動作を行うことになる。そして嵌合取付後は、接着剤の硬化により水平板部１２がしっかりと固定されて、踏み板１もさらにしっかりと固定される。
【００２５】
これによれば、上記接着面積の増大とも相まって、踏み鳴り低減効果をより一層向上できる。
【００２６】
［第２の実施形態］
ところで、接着剤を用いて水平板部１２を水平溝部２３に固定させる場合、嵌合時に接着剤がはみ出してしまうおそれがある。
【００２７】
そこで、図６〜図８に例示したように、水平溝部２３の上下内壁間に、前面から奥に向かう接着剤溜まりとしての穿孔２４を設けることが好ましい一つの形態である。
【００２８】
この穿孔２４は、水平溝部２３の上下内壁で挟まれるように、その前面開口から奥壁にかけて真っ直ぐに一本の円筒状に形成されている。
【００２９】
これにより、穿孔２４が接着剤溜まりとして機能することで、水平溝部２３内での水平板部１２の表面に接着剤がより確実に行き渡るようになり、嵌合時の接着剤のはみ出しを防いで、接着不良の可能性を低減できる。このため、水平板部１２と水平溝部２３の嵌合強度にバラツキがなくなり、踏み板１を側桁２に対してさらにしっかりと固定でき、踏み鳴りの低減効果をより安定して実現できる。本実施形態も、側桁２に限られず、踏み板１の略中央に配設される桁にも適用できる。
【図面の簡単な説明】
【００３０】
【図１】本願発明の一実施形態を示した踏み板取付前の（ａ）側面図、（ｂ）Ａ−Ａ線断面図。
【図２】図１の実施形態における踏み板取付前の正面図。
【図３】図１の実施形態における踏み板取付後の縦断面図。
【図４】図１の実施形態における踏み板取付後の横断面図。
【図５】図１の実施形態における踏み板のスライド動作について説明するための（ａ）（ｂ）横断面図。
【図６】本願発明の別の一実施形態を示した踏み板取付前の（ａ）側面図、（ｂ）Ａ−Ａ線断面図。
【図７】図６の実施形態における踏み板取付前の正面図。
【図８】図７の実施形態における踏み板取付後の縦断面図。
【図９】従来のオープン階段を例示した斜視図。
【図１０】従来の踏み板取付構造を例示した（ａ）側面図、（ｂ）Ａ−Ａ線断面図。
【符号の説明】
【００３１】
１  踏み板
１１  嵌合凹部
１２  水平板部
２  側桁
２１  踏み板挿入部
２２  嵌合凸部
２３  水平溝部
２４  穿孔
３  側板
３１  嵌合凹部
４  壁
【図１】
0004661582.tif 000002
【図２】
0004661582.tif 000003
【図３】
0004661582.tif 000004
【図４】
0004661582.tif 000005
【図５】
0004661582.tif 000006
【図６】
0004661582.tif 000007
【図７】
0004661582.tif 000008
【図８】
0004661582.tif 000009
【図９】
0004661582.tif 000010
【図１０】
0004661582.tif 000011